(57)【要約】【課題】  荷主とコンテナターミナルとの間で搬出入に必要な情報をリアルタイムで通信し、両者の業務の効率化を図ることが可能なコンテナ搬出入情報通信方法およびシステムを提供する。【解決手段】  上記課題を達成するためのコンテナ搬出入情報通信システムは、コンテナターミナル３０と荷主１０との間を、通信回線で接続されたコンピュータ１２、４０によって形成される相互通信手段を設ける。前記相互通信手段は、相互のコンピュータ１２、４０がコンテナの搬出または搬入に合わせて入力されたコンテナ特定データ、積荷データを相互に自動送受信する手段を備えることを特徴とする。【選択図】    図１
2005219861.tif 000002
【特許請求の範囲】
【請求項１】
コンテナターミナル側に置かれたデータ処理手段と、ターミナル利用者側に置かれたデータ処理手段とを接続し、コンテナターミナル側と、ターミナル利用者側との間で搬出入されるコンテナの搬出時に、コンテナ関連データを相互のデータ処理手段に送信し、前記コンテナ関連データを受信したコンテナターミナル若しくはターミナル利用者はコンテナ搬入時の処理に利用することを特徴とするコンテナ搬出入情報通信方法。
【請求項２】
コンテナターミナル側に置かれたデータ処理手段と、ターミナル利用者側に置かれたデータ処理手段とを通信回線で接続し、相互のデータ処理手段にはコンテナの搬出時にコンテナ関連データを入力する入力手段と、入力されたデータを送信する送受信手段とが備えられてなることを特徴とするコンテナ搬出入情報通信システム。
【請求項３】
前記コンテナターミナル側に置かれたデータ処理手段は、空コンテナがコンテナターミナルから搬出された時にターミナル利用者に空コンテナのコンテナ番号を含むコンテナ関連データをリアルタイムに送信することを特徴とする請求項２に記載のコンテナ搬出入情報通信システム。
【請求項４】
前記ターミナル利用者側に置かれたデータ処理手段は、実入コンテナがターミナル利用者側から搬出された時にコンテナターミナルに搬入予定のコンテナ重量、又は封印シール番号、積荷情報を含むコンテナ関連データをコンテナターミナル側に置かれたデータ処理手段に送信し、コンテナターミナル側でコンテナ搬入前に取得した積荷情報をコンテナ搬入時の受付処理に利用可能としたことを特徴とする請求項２に記載のコンテナ搬出入情報通信システム。
【請求項５】
コンテナターミナルから実入コンテナを搬出する際、前記ターミナル利用者側に置かれたデータ処理手段は、コンテナターミナル側に置かれたデータ処理手段に対してターミナル利用者が搬出予定のコンテナ関連データを搬出前にコンテナターミナルに送信し、前記コンテナターミナルは送信されたコンテナの情報を搬出事前準備処理に利用可能としたことを特徴とする請求項２記載のコンテナ搬出入情報通信システム。
【発明の詳細な説明】
【技術分野】
【０００１】
本発明は、コンテナ搬出入情報通信方法およびシステムに係り、特に、港湾物流のように、荷主とコンテナターミナルとの間で荷物の所在、およびそれに関する情報が交錯し、実情報が不明確となり易い物流体系に好適なコンテナ搬出入情報通信方法およびシステムに関する。
【背景技術】
【０００２】
一般に港湾物流においては、コンテナをコンテナターミナルへ搬入する場合、まず、空のコンテナをターミナルから搬出して、それに荷主が荷を詰め、番号を付したシール等によってコンテナを封止してコンテナターミナルに搬入する。この時、搬入手続のためにコンテナ番号をキーに書類作成が行われるが、従来、荷主は空のコンテナが到着するまでコンテナ番号を知ることができず、書類の作成を開始できなかった。また、空のコンテナがいつターミナルを出たかも分からないため、荷積みの準備のタイミングがつかめない。さらには、荷積みをしたコンテナが実際にターミナルに到着したかどうかがすぐには分からないなどの不便があった。ターミナル側においても、荷積された実入コンテナがコンテナヤードに搬入されてからコンテナ重量や封印番号（シール番号）を入力するため、受付に時間がかかり搬入の渋滞の原因になっていた。
以上は荷積みコンテナの搬入に関して述べたが、搬出についても同様の不便がある。
【０００３】
上記のような実状を鑑み、特許文献１のような発明が提案されている。特許文献１に提案されている発明は、コンテナに付するキー番号を予め決めておき、当該キー番号に紐付けてコンテナに関する情報をコンピュータネットワーク上のフォルダに入力しておく。前記キー番号は、無線通信可能なタグに付されており、当該タグを読み取ることで、手続されたキー番号を付したコンテナの積荷情報等をネットワーク上で確認できるというものである。
【特許文献１】特開２００３−３４４４２号公報
【発明の開示】
【発明が解決しようとする課題】
【０００４】
特許文献１に提案されている発明によれば、コンテナターミナル内でのコンテナの書類作成等の手続を簡略化することができ、受付の渋滞は解消することができる。
【０００５】
しかし、コンテナに付するキー番号は、コンテナターミナル側が任意に決めるものであり、荷主側が前記キー番号を知るには、荷の到着を待たなければならず、コンテナ（荷）がどの工程にあるのかを把握することは困難である。
【０００６】
本発明では、荷主とコンテナターミナルとの間でコンテナの搬出入に必要な情報をリアルタイムで通信することにより、両者の業務を効率化し、コンテナターミナルの渋滞を緩和し、円滑な物流を実現することができるコンテナ搬出入情報通信方法およびシステムを提供することを目的とする。
【課題を解決するための手段】
【０００７】
上記目的を達成するために、本発明に係るコンテナ搬出入情報通信方法は、コンテナターミナル側に置かれたデータ処理手段と、ターミナル利用者側に置かれたデータ処理手段とを接続し、コンテナターミナル側と、ターミナル利用者側との間で搬出入されるコンテナの搬出時に、コンテナ関連データを相互のデータ処理手段に送信し、前記コンテナ関連データを受信したコンテナターミナル若しくはターミナル利用者はコンテナ搬入時の処理に利用することを特徴とする。
【０００８】
また、上記目的を達成するために、本発明に係るコンテナ搬出入情報通信システムは、コンテナターミナル側に置かれたデータ処理手段と、ターミナル利用者側に置かれたデータ処理手段とを通信回線で接続し、相互のデータ処理手段にはコンテナの搬出時にコンテナ関連データを入力する入力手段と、入力されたデータを送信する送受信手段とが備えられてなることを特徴とする。
【０００９】
また、前記コンテナターミナル側に置かれたデータ処理手段は、空コンテナがコンテナターミナルから搬出された時にターミナル利用者に空コンテナのコンテナ番号を含むコンテナ関連データをリアルタイムに送信するようにすると良い。
また、前記ターミナル利用者側に置かれたデータ処理手段は、実入コンテナがターミナル利用者側から搬出された時にコンテナターミナルに搬入予定のコンテナ重量、又は封印シール番号、積荷情報を含むコンテナ関連データをコンテナターミナル側に置かれたデータ処理手段に送信し、コンテナターミナル側でコンテナ搬入前に取得した積荷情報をコンテナ搬入時の受付処理に利用可能とすることもできる。
【００１０】
さらに、コンテナターミナルから実入コンテナを搬出する際、前記ターミナル利用者側に置かれたデータ処理手段は、コンテナターミナル側に置かれたデータ処理手段に対してターミナル利用者が搬出予定のコンテナ関連データを搬出前にコンテナターミナルに送信し、前記コンテナターミナルは送信されたコンテナの情報を搬出事前準備処理に利用可能とすることもできる。
【発明の効果】
【００１１】
上記のようなコンテナ搬出入情報通信方法において、コンテナターミナル側に置かれたデータ処理手段と、ターミナル利用者側に置かれたデータ処理手段とを接続し、コンテナターミナル側と、ターミナル利用者側との間で搬出入されるコンテナの搬出時に、コンテナ関連データを相互のデータ処理手段に送信し、前記コンテナ関連データを受信したコンテナターミナル若しくはターミナル利用者はコンテナ搬入時の処理に利用するようにすることで、コンテナターミナル、ターミナル利用者（荷主）は、いずれもリアルタイムに（コンテナが到着する前に）コンテナ関連情報を得ることができるので、コンテナ搬入時に必要な書類や、コンテナに関するデータ入力等の搬入準備を効率良く行うことができる。これにより、ターミナル側では、コンテナ搬入時や搬出時の手続に伴う渋滞を緩和することが可能となる。
【００１２】
また、上記構成のコンテナ搬出入情報通信システムにおいて、コンテナターミナル側に置かれたデータ処理手段と、ターミナル利用者側に置かれたデータ処理手段とを通信回線で接続し、相互のデータ処理手段にはコンテナの搬出時にコンテナ関連データを入力する入力手段と、入力されたデータを送信する送受信手段とが備えられてなることを特徴とすることにより、コンテナターミナル、ターミナル利用者は、コンテナ搬出時若しくは搬入時にリアルタイムにコンテナ関連データを相手方に送信することができる。これにより、送信を受けた相手方は、実際にコンテナを搬入若しくは搬出する前に当該コンテナに関するデータを得ることが可能となる。
【発明を実施するための最良の形態】
【００１３】
以下、本発明のコンテナ搬出入情報の自動通信システムに係る実施の形態を図面を参照しつつ説明する。なお、以下に示す実施の形態は、本発明のうちの一部を示すものであり、本発明の実施の範囲は、これらに拘束されるものではない。
【００１４】
図１は本実施形態の全体構成を示すブロック図である。
一般的に港湾物流は、船舶での荷物運送を依頼する荷主（ここでの荷主は、輸出入を行う陸運会社等を含む）１０と、船舶の手配等港湾での荷物の取り扱いを行うコンテナターミナル３０とから成る。本実施形態の港湾物流では、前記荷主（ターミナル利用者）１０とコンテナターミナル３０とを専用回線等の通信回線で接続している。なお、インターネットＶＰＮ（ＶＰＮ：Ｖｉｒｔｕａｌ  Ｐｒｉｖａｔｅ  Ｎｅｔｗｏｒｋ）などの仕組みでセキュリティの確保ができれば、インターネットの回線を利用することもできる。
【００１５】
前記荷主１０は、ブッキング情報や、荷積の際のバンニング情報等をコンテナターミナル３０側へ送信するためのデータ処理手段（以下単に「コンピュータ」という）１２を備えている。コンピュータ１２は、上述したように、通信回線によって、コンテナターミナル３０へ接続されている。
【００１６】
前記コンテナターミナル３０は例えば、実入コンテナが置かれるコンテナヤード３２と、空コンテナが置かれるバンプール３６と、これらの情報を管理する管理局３４とから成る。コンテナヤード３２、管理局３４およびバンプール３６には例えば、それぞれコンピュータ３８、４０、４２が設置され、それぞれＬＡＮ等によって情報通信可能に接続される。
【００１７】
例えば管理局３４のコンピュータ４０を荷主１０との情報通信を行うコンピュータとすると、当該コンピュータ４０にはデータベース４４を設けるようにする。データベース４４には、通信回線（専用回線またはインターネット等の通信回線）２０を介して受信された荷主１０からのブッキング情報やバンニング情報、あるいは荷主１０へ送信するための、バンプール３６から搬出されたコンテナのコンテナ番号等のピックアップ情報、バンニングされたコンテナがコンテナターミナル３０へ搬入された結果を伝えるターミナル搬入情報等が蓄積されている。
【００１８】
なお、上記コンピュータ１２、３８、４０、４２は、いずれも、コンテナ関連データの入力を行う、図示しないキーボードやマウスといった入力手段と、入力手段によって入力されたデータを送信可能な図示しない送信手段とを備えている。
上記構成の実施形態では、各種情報は、コンピュータ１２と、コンピュータ４０との間で、後述する流れに従って送受信される。
【００１９】
図２に、コンテナターミナル３０側と荷主１０側との間での情報通信と、双方で行われる主な荷役作業の流れとを時間の流れに従って示す。
まず、荷主１０からコンテナターミナル３０へ、船舶運送を依頼する荷物のブッキング情報をコンピュータ１２に入力し、送信する（ステップ１００）。
【００２０】
ブッキング情報を受信したコンテナターミナル３０側は、バンプール３６にて前記ブッキング情報に対応する空コンテナを準備する（ステップ１１０）。荷主１０は、バンプール３６にてブッキング情報で受付を行い空コンテナを搬出する（ステップ１２０）。空コンテナ搬出と同時に、コンテナターミナル３０から前記空コンテナのコンテナ番号と、このコンテナ番号に紐付けされたコンテナ特定情報、例えばコンテナの種類等のコンテナ情報がコンピュータ４２に入力され、コンピュータ４０を介して荷主１０側へ送信される（ステップ１３０）。
【００２１】
荷主１０はコンテナ情報を受信することで、ブッキング情報に対応した空コンテナがコンテナターミナル３０を出発したことを確認することができる。これにより、積荷やコンテナ番号を基に作成される運送依頼のための手続書類等を準備することができる（ステップ１４０）。空コンテナが荷主１０の下に到着すると、荷積が行われる。荷積が終了した実入コンテナは番号を付されたシールによって封印される。コンテナ封印後、当該実入コンテナをコンテナターミナル３０のコンテナヤード３２に向けて搬送する（ステップ１５０）。実入コンテナ搬送後、または実入コンテナの搬送と同時に、実入コンテナのコンテナ番号、封印シール番号、重量、積荷内容等のバンニング情報を入力し、コンテナターミナル３０側へ送信する（ステップ１６０）。
【００２２】
実入コンテナがコンテナヤード３２に到着すると、搬入ゲート４６でコンピュータ３８にコンテナ番号を入力するだけで、そのコンテナ番号をキーとして、すでに受信しているバンニング情報が引き出され、シール番号や重量等の情報を入力することなく短時間で受付が完了する（ステップ１７０）。この受付と同時に、実入コンテナの到着時間や、どこのコンテナヤードにコンテナが到着したか等の情報が自動的に荷主１０側へ送信される（ステップ１８０）。
【００２３】
上記一連の流れにより、荷主１０とコンテナターミナル３０との間で、運送されるコンテナの流れに関する情報を、荷主１０、コンテナターミナル３０の双方で、リアルタイムに得ることができる。これにより、荷主１０、コンテナターミナル３０は、双方共に荷物運送のための準備を効率良く行うことができる。コンテナターミナル３０は、ゲート受付の省力化、時間短縮となり、荷主１０は、荷物が正しくコンテナターミナル３０に運ばれたかどうかをリアルタイムに知ることができる。
【００２４】
上記実施形態では、荷物を輸出（荷主１０が実入コンテナをコンテナターミナル３０に搬入）する工程のみを記載したが、荷物を輸入（荷主１０が実入コンテナをコンテナターミナル３０から搬出）する工程についても略同様の情報通信が成されることによって、荷物の搬出を効率良く行うことができる。この場合、例えばコンテナターミナル３０に搬出が予定される荷物のコンテナ情報を、荷主１０が予めコンテナターミナル３０へ送信しておくようにすると良い。これにより、コンテナターミナル３０側は、前記コンテナ情報を基にコンテナ搬出の事前準備を行うことができる。
【００２５】
上記のようなコンテナ搬出入情報の自動通信システムにおいて、荷主１０が荷積みをするための空コンテナにおけるコンテナ番号および当該コンテナ番号に紐付けされた情報を、空コンテナがコンテナターミナル３０から搬出されたタイミングで、空コンテナ情報をリアルタイムに送信するようにすることで、荷主１０は、ブッキング情報に対応した空コンテナがコンテナターミナル３０を出発したことを確認することができる。また、積荷やコンテナ番号を基に作成する運送依頼のための手続書類等を準備することができる。さらに、積荷の準備を行うタイミングを知ることができる。
【００２６】
また、コンテナターミナル３０に搬入予定の実入コンテナのコンテナ重量、又は、封印シール番号および当該封印シール番号に紐付けされた情報をコンテナ搬入前に取得し、実入コンテナが荷主１０側から搬出されたタイミングで、コンテナの情報をリアルタイムに送信し、コンテナターミナル３０の受付処理に利用することにより、コンテナターミナル３０は、荷物の搬入受付を効率良く行うことが可能となり、コンテナ搬入のための渋滞も緩和することが可能となる。
【００２７】
さらに、荷主１０がコンテナターミナル３０から実入コンテナを搬出する際、搬出予定コンテナの情報を搬出前にコンテナターミナル３０に送信し、コンテナターミナル３０側がその情報をもとに搬出の事前準備に利用するようにすることで、船舶から荷役されたコンテナの搬出作業をスムーズに行うことができ、コンテナヤード３２からのコンテナ搬出のための渋滞を解消することができる。
【図面の簡単な説明】
【００２８】
【図１】本発明のコンテナ搬出入情報の自動通信システムに係る実施の形態の構成を示すブロック図である。
【図２】実施形態におけるコンテナターミナルと荷主との間の情報と作業の流れを示す図である。
【符号の説明】
【００２９】
１０………荷主、１２………コンピュータ（データ処理手段）、２０………通信回線（専用回線またはインターネット等の通信回線）、３０………コンテナターミナル、３２………コンテナヤード、３４………管理局、３６………バンプール、３８………コンピュータ（データ処理手段）、４０………コンピュータ（データ処理手段）、４２………コンピュータ（データ処理手段）、４４………データベース、４６………搬入ゲート。
【図１】
2005219861.tif 000003
【図２】
2005219861.tif 000004